(57)【要約】本発明は、複数のスリープモードＩＤをグループ化し、スリープモードＩＤグループに対してトラフィックが存在するか否かを示す第１のビットマップ情報と、スリープモードＩＤグループに属する各スリープモードＩＤに対応するトラフィックが発生するか否かを示す第２のビットマップ情報を含むトラフィック表示メッセージをブロードキャスティングする基地局と、複数のスリープモードＩＤのうちいずれか一つが割り当てられ、トラフィック表示メッセージを受信すると第１のビットマップ情報を用いて自分が属するスリープモードＩＤグループにトラフィックが存在するか否かを判定し、自分が属するスリープモードＩＤグループにトラフィックが存在すると、第２のビットマップ情報を用いて自分に対するトラフィックが存在するか否かを判定する端末とを含むことを特徴とする無線通信システムを提供する。
2008502275.tif 000002
【特許請求の範囲】
【請求項１】
複数のスリープモードＩＤをグループ化し、前記スリープモードＩＤグループに対してトラフィックが存在するか否かを示す第１のビットマップ情報と、前記スリープモードＩＤグループに属する各スリープモードＩＤに対応するトラフィックが発生するか否かを示す第２のビットマップ情報を含むトラフィック表示メッセージをブロードキャスティングする基地局と、
前記複数のスリープモードＩＤのうちいずれか一つが割り当てられ、前記トラフィック表示メッセージを受信すると第１のビットマップ情報を用いて自分が属するスリープモードＩＤグループにトラフィックが存在するか否かを判定し、自分が属するスリープモードＩＤグループにトラフィックが存在すると、前記第２のビットマップ情報を用いて自分に対するトラフィックが存在するか否かを判定する端末と、
を含むことを特徴とする無線通信システム。
【請求項２】
前記トラフィック表示メッセージは、前記スリープモードＩＤグループの各スリープモードＩＤに対してトラフィック状態を示す第３のビットマップ情報をさらに含むことを特徴とする請求項１記載の無線通信システム。
【請求項３】
前記トラフィック表示メッセージは、前記スリープモードＩＤグループでトラフィックが存在するスリープモードＩＤの個数が所定個数以上であることを示す第４のビットマップ情報をさらに含むことを特徴とする請求項１記載の無線通信システム。
【請求項４】
前記基地局は、前記スリープモードＩＤグループでトラフィックが存在するスリープモードＩＤの個数が所定個数より大きい場合に、前記スリープモードＩＤグループに属するすべてのスリープモードＩＤに対するトラフィックインジケータを前記第３のビットマップ情報に含めることを特徴とする請求項３記載の無線通信システム。
【請求項５】
前記基地局は、前記スリープモードＩＤグループでトラフィックが存在するスリープモードＩＤの個数が所定個数以下である場合に、前記スリープモードＩＤグループに属するすべてのスリープモードＩＤの中でトラフィックが存在するスリープモードＩＤに対するトラフィックインジケータのみを前記第３のビットマップ情報に含めることを特徴とする請求項３記載の無線通信システム。
【請求項６】
無線通信システムにおける基地局を通じたトラフィック表示メッセージの伝送方法であって、
複数のスリープモードＩＤをグループ化してスリープモードＩＤグループを形成する段階と、
前記スリープモードＩＤグループに対してトラフィックが存在するか否かを示す第１のビットマップ情報を設定する段階と、
前記スリープモードＩＤグループに属する各スリープモードＩＤに対してトラフィックが発生するか否かを示す第２のビットマップ情報を設定する段階と、
前記第１及び第２のビットマップ情報を含むトラフィック表示メッセージをブロードキャスティングする段階と、
を有することを特徴とする方法。
【請求項７】
前記スリープモードＩＤグループの各スリープモードＩＤに対してトラフィック状態を示す第３のビットマップ情報を設定する段階をさらに有することを特徴とする請求項６記載の方法。
【請求項８】
前記スリープモードＩＤグループでトラフィックが存在するスリープモードＩＤの個数が所定個数以上であることを示す第４のビットマップ情報を設定する段階をさらに有することを特徴とする請求項６記載の方法。
【請求項９】
前記スリープモードＩＤグループでトラフィックが存在するスリープモードＩＤの個数が所定個数より大きい場合に、前記スリープモードＩＤグループに属するすべてのスリープモードＩＤに対するトラフィックインジケータを前記第３のビットマップ情報に含める段階をさらに有することを特徴とする請求項７記載の方法。
【請求項１０】
前記スリープモードＩＤグループでトラフィックが存在するスリープモードＩＤの個数が所定個数以下である場合に、前記スリープモードＩＤグループに属するすべてのスリープモードＩＤの中でトラフィックが存在するスリープモードＩＤに対してトラフィックインジケータのみを前記第３のビットマップ情報に含める段階をさらに有することを特徴とする請求項８記載の方法。
【請求項１１】
スリープモードにある複数の端末を含む無線通信システムにおける前記複数の端末にトラフィックの存在を知らせるためのトラフィック表示メッセージの構造であって、
複数のスリープモードＩＤをグループ化し、前記スリープモードＩＤグループに対してトラフィックが存在するか否かを示す第１のビットマップと、
前記スリープモードＩＤグループに属する各スリープモードＩＤに対応してトラフィックが発生したか否かを示す第２のビットマップと、
を含むことを特徴とするメッセージ構造。
【請求項１２】
前記スリープモードＩＤグループの各スリープモードＩＤに対してトラフィック状態を示す第３のビットマップをさらに含むことを特徴とする請求項１１記載のメッセージ構造。
【請求項１３】
前記スリープモードＩＤグループでトラフィックが存在するスリープモードＩＤの個数が所定個数以上であることを示す第４のビットマップをさらに有することを特徴とする請求項１１記載のメッセージ構造。
【請求項１４】
前記第３のビットマップは、前記スリープモードＩＤグループでトラフィックが存在するスリープモードＩＤの個数が所定個数より大きいと、前記スリープモードＩＤグループに属するすべてのスリープモードＩＤに対するトラフィックインジケータを含むことを特徴とする請求項１３記載のメッセージ構造。
【請求項１５】
前記第３のビットマップは、前記スリープモードＩＤグループでトラフィックが存在するスリープモードＩＤの個数が所定個数以下である場合に、前記スリープモードＩＤグループに属するすべてのスリープモードＩＤの中でトラフィックが発生したスリープモードＩＤに対してトラフィックインジケータのみを含むことを特徴とする請求項１３記載のメッセージ構造。
【請求項１６】
前記トラフィック表示メッセージは、少なくとも一つ以上のスリープモード端末に速い(ｑｕｉｃｋ)トラフィック表示情報を提供するためにスリープモードの聴取期間に進入するまでバッファリングされたトラフィックの量による動的サイズを有することを特徴とする請求項１１記載のメッセージ構造。
【請求項１７】
無線通信システムにおけるトラフィック表示メッセージを伝送する基地局であって、
複数のスリープモードＩＤをグループ化してスリープモードＩＤグループ(ＳＬＰＩＤ-Ｇｒｏｕｐ）を形成する手段と、
前記ＳＬＰＩＤグループに対してトラフィックが存在するか否かを示す第１のビットマップを設定する手段と、
前記ＳＬＰＩＤグループに属する各スリープモードＩＤに対するトラフィックインジケータを示す第２のビットマップを設定する手段と、
前記第１及び第２のビットマップを含むトラフィック表示メッセージをブロードキャスティングする手段と、
を含むことを特徴とする基地局。
【請求項１８】
前記第２のビットマップは、トラフィックが存在するＳＬＰＩＤグループに対して設定されることを特徴とする請求項１７記載の基地局。
【請求項１９】
前記第２のビットマップは、ＳＬＰＩＤグループの各スリープモードＩＤに対するトラフィック状態を示すトラフィックインジケータの集合であることを特徴とする請求項１８記載の基地局。
【請求項２０】
前記第２のビットマップのトラフィックインジケータは、トラフィックが存在するＳＬＰＩＤグループのＳＬＰＩＤ値の昇順により配列されることを特徴とする請求項１８記載の基地局。
【請求項２１】
前記トラフィックインジケータは、トラフィックがあることを示す値とトラフィックがないことを示す値のうちのいずれか一つの値を有することを特徴とする請求項１９記載の基地局。
【請求項２２】
前記トラフィックインジケータは１ビットで構成されることを特徴とする請求項２１記載の基地局。
【請求項２３】
前記トラフィックインジケータは、ＳＬＰＩＤグループに属するスリープモードＩＤの個数の倍数長さを有することを特徴とする請求項２２記載の基地局。
【請求項２４】
無線通信システムにおけるトラフィック表示メッセージを受信する端末であって、
複数のスリープモードＩＤ(ＳＬＰＩＤ)のうちのいずれか一つが割り当てられ、割り当てられた前記ＳＬＰＩＤが属するＳＬＰＩＤグループを計算する手段と、
基地局から前記ＳＬＰＩＤグループに対してトラフィックが存在するか否かを示す第１のビットマップ及び前記ＳＬＰＩＤグループに属する各ＳＬＰＩＤに対するトラフィックインジケータを示す第２のビットマップを含むトラフィック表示メッセージを受信する手段と、
前記トラフィック表示メッセージを受信すると、前記第２のビットマップを用いて自分が属するＳＬＰＩＤグループにトラフィックが発生するか否かを判定する手段と、
前記トラフィックが前記ＳＬＰＩＤグループに存在すると、前記第２のビットマップのトラフィックインジケータを確認する手段と、
を含むことを特徴とする端末。
【請求項２５】
前記第２のビットマップは、トラフィックが存在するＳＬＰＩＤグループに対して設定されることを特徴とする請求項２４記載の端末。
【請求項２６】
前記第２のビットマップのトラフィックインジケータは、トラフィックが存在するＳＬＰＩＤグループのＳＬＰＩＤ値の昇順により割り当てられることを特徴とする請求項２４記載の端末。
【請求項２７】
前記トラフィックインジケータは、トラフィックが存在することを示す値とトラフィックが存在しないことを示す値のうちいずれか一つの値を有することを特徴とする請求項２４記載の端末。
【請求項２８】
前記トラフィックインジケータは１ビットで構成されることを特徴とする請求項２７記載の端末。
【請求項２９】
端末を通じて無線通信システムにおけるトラフィック表示メッセージを受信する方法であって、
複数のスリープモードＩＤ(ＳＬＰＩＤ)のうちのいずれか一つが割り当てられ、自分に割り当てられたＳＬＰＩＤが属するＳＬＰＩＤグループを計算する段階と、
基地局から前記ＳＬＰＩＤグループに対してトラフィックが存在するか否かを示す第１のビットマップと、前記ＳＬＰＩＤグループに属する各ＳＬＰＩＤに対してトラフィックインジケータを示す第２のビットマップを含むトラフィック表示メッセージを受信する段階と、
前記トラフィック表示メッセージを受信すると、前記第２のビットマップを用いて自分が属するＳＬＰＩＤグループにトラフィックが存在するか否かを判定する段階と、
自分が属するＳＬＰＩＤグループにトラフィックが存在すると、前記第２のビットマップを用いて自分に対するトラフィックインジケータを確認する段階と、
を有することを特徴とする方法。
【請求項３０】
基地局によって占有される領域内に位置する複数の移動端末の電力消費を減少するために、前記移動端末のデータ送受信を中断するためのスリープ期間とトラフィック表示メッセージを受信するための聴取(ｌｉｓｔｅｎｉｎｇ)期間を有する移動通信システムにおいて、前記基地局が前記移動端末を呼び出す場合に、前記端末の聴取期間で呼び出された複数の端末が目覚めるようにトラフィック表示メッセージを発生する方法であって、
前記トラフィック表示メッセージは複数のビットを有し、前記複数のビットを複数のグループに分割し、前記呼び出された端末が前記複数のグループに属するように第１のビットマップ情報を発生する段階と、
前記分割されたグループ内の前記複数のビットによって前記呼び出された端末のスリープＩＤを示すための第２のビットマップ情報を発生する段階と、
を有することを特徴とする方法。
【請求項３１】
前記第２のビットマップ情報は、トラフィックが存在するＳＬＰＩＤグループに対して設定されることを特徴とする請求項３０記載の方法。
【請求項３２】
前記第２のビットマップ情報は、ＳＬＰＩＤグループの各スリープモードＩＤのトラフィック状態を示すトラフィックインジケータの集合であることを特徴とする請求項３１記載の方法。
【請求項３３】
前記第２のビットマップのトラフィックインジケータは、トラフィックが存在するＳＬＰＩＤグループのＳＬＰＩＤ値の昇順に割り当てられることを特徴とする請求項３１記載の方法。
【請求項３４】
前記トラフィックインジケータは、トラフィックが存在することを示す値又はトラフィックが存在しないことを示す値を有することを特徴とする請求項３０記載の方法。
【請求項３５】
前記トラフィックインジケータは１ビットで構成されることを特徴とする請求項３４記載の方法。
【請求項３６】
前記トラフィックインジケータは、ＳＬＰＩＤグループに属するスリープモードＩＤの個数の倍数長を有することを特徴とする請求項３５記載の方法。
【請求項３７】
伝送データが存在するアウェイクモードと伝送データが存在しないスリープモードを有する広帯域無線接続通信システムにおいて、基地局がスリープモードで各移動局(ＭＳ)に前記ＭＳのそれぞれに伝送するトラフィックがあるか否かを知らせるためのメッセージ生成方法であって、
前記基地局が、スリープモードでの前記ＭＳに固有スリープ識別子を割り当てる段階と、
予め定められた個数で前記スリープ識別子をグループ化し、前記グループ化したスリープ識別子を示す領域を結合することによって第１の表示ビットマップを生成する段階と、
前記予め定められた個数のスリープ識別子を示す第２の表示ビットマップを生成する段階と、
前記第１の表示ビットマップと前記第２の表示ビットマップを含むトラフィック表示メッセージを生成して前記ＭＳに伝送する段階と、
を有することを特徴とする方法。
【請求項３８】
スリープ識別子はスリープ応答メッセージを通じて前記ＭＳに伝送されることを特徴とする請求項３７記載の方法。
【請求項３９】
第１の表示ビットマップの各ビットは、少なくとも一つ以上のＭＳに伝送されるトラフィックがある場合、伝送トラフィックが存在することを示すことを特徴とする請求項３７記載の方法。
【請求項４０】
前記ＭＳが、第１の表示ビットマップから自分の位置に対応するビットを検出してトラフィックがあるか否かを判定する段階と、
トラフィックがあると判定される場合に第２の表示ビットマップを検出する段階と、
トラフィックがないと判定される場合に第２の表示ビットマップを検出しない段階と、
をさらに有することを特徴とする請求項３７記載の方法。
【請求項４１】
前記ＭＳが、第２の表示ビットマップを検出する場合に、自分の位置に対応するビットを検出してトラフィックがあるか否かを判定する段階を有することを特徴とする請求項４０記載の方法。
【発明の詳細な説明】
【技術分野】
【０００１】
本発明は、無線通信システムでトラフィック表示メッセージを送受信する技術に関するものである。
【背景技術】
【０００２】
図１は、一般的な広帯域無線通信システムの構成を示す。図１を参照すると、各ＭＳ(Ｍｏｂｉｌｅ  Ｓｔａｔｉｏｎ)１０，１２は、一般的に移動性を有し、各々ＢＳ(Ｂａｓｅ  Ｓｔａｔｉｏｎ)２０，２２を通じてバックボーンネットワーク３０に接続する。ＭＳ１０，１２は、ＢＳ２０，２２と加入者(図示せず)との間に接続を可能にする。なお、ＢＳ２０，２２は、ＭＳに対する制御、管理、接続性(ｃｏｎｎｅｃｔｉｖｉｔｙ）を提供する。バックボーンネットワーク３０は、ＭＳ１０，１２の認証及びサービス認可のためのＡＳＡ(Ａｕｔｈｅｎｔｉｃａｔｉｏｎ  ａｎｄ  Ｓｅｒｖｉｃｅ  Ａｕｔｈｏｒｉｚａｔｉｏｎ)サーバ４０に接続される。
【０００３】
移動性を支援するＭＳにおいて、電力消費を低減することは非常に重要である。ＭＳの電力消費を減少するための一つの方法では、スリープモードを採用することである。スリープモードで、ＭＳは、ＲＴＣ(Ｒｅａｌ  Ｔｉｍｅ  Ｃｌｏｃｋ)とＰＬＬ(Ｐｈａｓｅ  Ｌｏｃｋｅｄ  Ｌｏｏｐ)以外のすべての機能を停止する。このスリープモードで、ＰＬＬは、ＭＳが容易に目覚める(例えば、ノーマル状態に戻る)ようにアクティブ(ａｃｔｉｖｅ)状態を維持する。ＭＳは、スリープモード中に、隣接するＢＳに対する検索、レンジング(ｒａｎｇｉｎｇ)、又はハンドオーバーの遂行のために周期的に目覚める。ＩＥＥＥ８０２.１６Ｅシステムのように広帯域無線通信システムは、スリープモードで、ＭＳの電力消費を減少し、ＭＳがより円滑にハンドオーバーを遂行可能にする。
【０００４】
特に、スリープモードに進入したＭＳは、スリープ期間(Ｓｌｅｅｐ  ｉｎｔｅｒｖａｌ）と聴取期間(Ｌｉｓｔｅｎｉｎｇ  ｉｎｔｅｒｖａｌ）を経る。ＭＳは、スリープ期間に該当するフレームの間に、自分の電力消費を減少するためにデータの送受信を中止し、聴取期間に該当するフレームの間には、状況により、周期的レンジング(ｐｅｒｉｏｄｉｃ  ｒａｎｇｉｎｇ）を遂行するようにノーマル状態に戻ることができる。言い換えれば、聴取期間に進入したＭＳは、ＢＳから送信されたＴＲＦ-ＩＮＤ(Ｔｒａｆｆｉｃ  Ｉｎｄｉｃａｔｉｏｎ)メッセージをデコーディングし、ＤＬ(Ｄｏｗｎｌｏａｄ)トラフィック及び周期的レンジング機会があるか否かを判定しなければならないため、目覚めるべきである。すなわち、ＭＳは、スリープモードからのアウェイク状態及びノーマル状態(すなわち、アウェイク状態)への復帰によって受信可能な状態に戻らなければならない。
該当ＢＳは、聴取期間で自分が管理するスリープモード状態のＭＳに、ブロードキャストＣＩＤを用いてトラフィック表示を伝送すべきである。したがって、ＢＳは、スリープモードで動作中である特定ＭＳの入力(ｉｎｃｏｍｉｎｇ)データを受信すると、該当ＭＳの聴取期間に至るまで該当トラフィックデータをバッファリングすることができる。ＢＳは、状況により、この入力データをドロップ(ｄｒｏｐ)させうる。以下に、ＭＳがスリープモードを遂行する手順について図２を参照して説明する。
【０００５】
図２は、ＭＳがスリープモードを遂行する手順を示す流れ図である。図２を参照すると、ＭＳ１０は、ステップ５０で、スリープモードに進入できるようにＢＳ２０に要求メッセージＭＯＢ-ＳＬＰ-ＲＥＱを伝送する。この要求メッセージを受信したＢＳ２０は、ステップ５２で、該当ＭＳ１０がスリープモードに進入するようにその要求の許可/拒否を知らせる応答メッセージＭＯＢ-ＳＬＰ-ＲＳＰを伝送する。ＭＳ１０は、ＢＳ２０から応答メッセージを受信すると、スリープモードに進入する。上記のように、ＭＳ１０は、スリープモードでスリープ期間６０と聴取期間６２を経るようになる。
その後、ＢＳ２０は、要求/応答メッセージを通じて協議されたスリープモードパターンにより、該当ＭＳ１０の聴取期間６２に合せてＢＳ２０にバッファリングされた該当ＭＳ関連メッセージ及びトラフィックデータが存在することを知らせるためにトラフィック表示メッセージＭＯＢ-ＴＲＦ-ＩＮＤをＭＳ１０に送る。トラフィック表示メッセージを受信すると、ＭＳ１０は、このトラフィック表示メッセージにＭＳ関連メッセージとトラフィックデータが存在する場合に、このメッセージの受信が可能なアウェイク状態に遷移する。
【０００６】
ここで、トラフィック表示メッセージＭＯＢ-ＴＲＦ-ＩＮＤは、ブロードキャスティングメッセージのタイプとして、複数のＭＳに対してトラフィックが存在するか否かを示す。特に、ＢＳは、聴取期間を共有する複数のＭＳにトラフィックが存在するか否かを示すトラフィック表示メッセージをブロードキャスティングする。しかしながら、現在の規格によっては、ＢＳがスリープモードにあるＭＳにトラフィック表示メッセージを適切に提供することができない。
言い換えれば、上記のように現在の規格では、曖昧な定義のため、ＢＳが、ＭＯＢ-ＴＲＦ-ＩＮＤメッセージを通じてスリープモードにあるＭＳに適切なトラフィック表示メッセージを伝送することができない。
【発明の開示】
【発明が解決しようとする課題】
【０００７】
したがって、上記の従来技術による問題点を解決するために、本発明の目的は、該当聴取期間に進入するまでバッファリングされたトラフィックの量により、ＢＳがブロードキャスティングメッセージのタイプであるＭＯＢ-ＴＲＦ-ＩＮＤメッセージを適切に制御することによって、最適数のビットを用いて適切なトラフィック表示を提供することにある。
【課題を解決するための手段】
【０００８】
上記の目的を達成するために、本発明は、複数のスリープモードＩＤをグループ化し、前記スリープモードＩＤグループに対してトラフィックが存在するか否かを示す第１のビットマップ情報と、前記スリープモードＩＤグループに属する各スリープモードＩＤに対応するトラフィックが発生するか否かを示す第２のビットマップ情報を含むトラフィック表示メッセージをブロードキャスティングする基地局と、前記複数のスリープモードＩＤのうちいずれか一つが割り当てられ、前記トラフィック表示メッセージを受信すると第１のビットマップ情報を用いて自分が属するスリープモードＩＤグループにトラフィックが存在するか否かを判定し、自分が属するスリープモードＩＤグループにトラフィックが存在すると、前記第２のビットマップ情報を用いて自分に対するトラフィックが存在するか否かを判定する端末とを含むことを特徴とする無線通信システムを提供する。
【発明の効果】
【０００９】
本発明は、現在の曖昧な規格をより明瞭に定義することができる。本発明の実施形態では、トラフィックインジケータ情報が、合理的なビットを割り当てることによってスリープモードで動作中のＭＳに伝送される。また、本発明の実施形態で、各ＳＬＰＩＤグループ＃ｎにトラフィックが発生するＳＬＰＩＤの個数によりトラフィック表示情報ビットを効率的に減少できるように２つのアルゴリズムを動的に提供することで、ブロードキャスティングされるＭＯＢ-ＴＲＦ-ＩＮＤメッセージのサイズを縮めることができる。
さらに、本発明の実施形態で、トラフィックインジケータシグナリングは、スリープモードで動作する５１２個のＳＬＰＩＤに対して遂行される。しかしながら、ＳＬＰＩＤが現在の規格で定義された１０ビットのＳＬＰＩＤに拡張すると、トラフィックインジケータシグナリングは、３２ビットのＳＬＰＩＤグループ表示ビットマップを使用する１０２４個のＳＬＰＩＤに対して遂行可能である。
ＢＳは、該当聴取期間まで発生するトラフィックの量により、ＭＯＢ-ＴＲＦ-ＩＮＤメッセージを通じて伝送されるトラフィック表示情報の量をＳＬＰＩＤグループ表示ビットマップ、ハーフトラフィックマスク、ＳＬＰＩＤ表示ビットマップ、及びトラフィックインジケータビットマップを用いて簡単に制御することができる。
チャンネル環境が良くない場合に、ロバスト(ｒｏｂｕｓｔ)符号化/変調が適用されたＭＯＢ-ＴＲＦ-ＩＮＤメッセージが使用できる。この場合に、ＳＬＰＩＤグループ表示ビットマップを適切に設定することによって、トラフィックインジケータ情報は適切に分散させて伝送することができる。
【発明を実施するための最良の形態】
【００１０】
以下、本発明の望ましい実施形態を添付の図面を参照して詳細に説明する。
下記の説明において、同一の構成要素に対してはできるだけ同一の参照番号及び参照符号を付して説明する。また、本発明に関連した公知の構成又は機能に関する具体的な説明が本発明の要旨を不明にすると判断された場合に、その詳細な説明を省略する。
【００１１】
本発明の実施形態では、ＢＳが速いトラフィック表示/ＳＬＰＩＤインジケータ情報をＭＯＢ-ＴＲＦ-ＩＮＤメッセージを通じてスリープモードで動作するＭＳに適切に提供する方法と、ＭＳがＢＳからＭＯＢ-ＴＲＦ-ＩＮＤメッセージを受信して自分のトラフィックインジケータを検出する方法が提案される。まず、本発明の実施形態によるＭＯＢ-ＴＲＦ-ＩＮＤメッセージの構造について説明する。
【００１２】
図３（ａ）及び図３（ｂ）は本発明の第１の実施形態によりＳＬＰＩＤグループに属するフィールドを示し、図４（ａ）〜図４（ｃ）は本発明の第２の実施形態によりＳＬＰＩＤグループに属するフィールドを示す。
本発明の実施形態で、ＳＬＰＩＤグループ表示ビットマップフィールド、ＳＬＰＩＤ表示ビットマップフィールド、トラフィックインジケータビットマップフィールド、及びハーフトラフィックマスクフィールドは、既存の規格によって使用されたＳＬＰＩＤビットマップのバイト及びＳＬＰＩＤビットマップフィールドの代わりに使用することが可能である。本発明の実施形態によるＳＬＰＩＤ表示ビットマップフィールド及びハーフトラフィックマスクフィールドは、本発明が適用されるシステムにより、或いはシステム運営者の希望により選択的に適用される。
以下の説明において、ＢＳは管理する各ＭＳから受信したスリープモード要求に対してスリープモードの進入を許容する場合に、ＳＬＰＩＤ＝０，…，５１１が割り当てられると仮定する。ＳＬＰＩＤの個数が５１２以上であることは、当業者なら理解するはずであろう。例えば、ＳＬＰＩＤの個数は１０２４であり、本発明がそれによって変形可能であることは当業者には明らかである。
【００１３】
第１に、ＳＬＰＩＤグループ表示ビットマップについて説明する。本発明により、ＢＳは、グループでＳＬＰＩＤを所定の個数で束ねてグループ化する。本発明の実施形態で、１６個のＳＬＰＩＤグループ（すなわち、ＳＬＰＩＤグループ＃０〜ＳＬＰＩＤグループ＃１５）は、３２個のＳＬＰＩＤ配列によってなされる。すなわち、ＢＳによって割り当てられたＳＬＰＩＤ値が０〜３１の範囲であると、ＢＳは、ＳＬＰＩＤグループ＃０として管理し、ＳＬＰＩＤ値が３２〜６３の範囲であると、ＳＬＰＩＤグループ＃１として管理する。このような方式で、ＳＬＰＩＤ値が４８０〜５１１の範囲はＳＬＰＩＤグループ＃１５で束ねてなされる。そして、このようなＳＬＰＩＤグループ＃ｎに属するＳＬＰＩＤが割り当てられた端末にトラフィックが存在する場合に、ＢＳは、該当ＳＬＰＩＤグループ＃ｎを‘１’に設定する。
したがって、本発明の実施形態において、ＳＬＰＩＤグループ＃ｎは１６ビット(＝ｂ１５，ｂ１４，…，ｂ２，ｂ１，ｂ０)を有する。そして、ｂｎ(ｎ＝０，１，…，１５）はＳＬＰＩＤ＝３２ｎ〜(３２ｎ＋３１)に該当するＭＳのグループを示す。したがって、ＳＬＰＩＤ＝３３に該当するＭＳに周期的レンジング機会及びＤＬトラフィックが発生した場合に、ＢＳは、ｂ１＝１に設定することによってＳＬＰＩＤ＝３２〜６３に該当するＳＬＰＩＤグループ＃１にトラフィックの発生を知らせることができる。したがって、このフィールドの各ビット＃ｎ(＝ｂｎ）はＳＬＰＩＤグループ＃ｎ(ｎ＝０，１，…，１５）を代表する。したがって、ＳＬＰＩＤグループ＃ｎは、{ＳＬＰＩＤグループ＃０、ＳＬＰＩＤグループ＃１，…，ＳＬＰＩＤグループ＃１５}中の一つである。図３（ａ）及び図４（ａ）は、ＳＬＰＩＤグループ表示ビットマップフィールド３００，５００をそれぞれ示す。図示のように、ＳＬＰＩＤグループ表示ビットマップフィールド３００の各ビット３０１，３０２，…，３１６(図３（ａ）)と、ＳＬＰＩＤグループ表示ビットマップフィールド５００の各ビット５０１，５０２，…，５１６(図４（ａ）)は、ＳＬＰＩＤグループ＃ｎの各々に対応してグループ内のトラフィックが発生したことを示す。
【００１４】
第２に、ＳＬＰＩＤ表示ビットマップフィールドは、ＳＬＰＩＤグループ＃１を代表するｂｎが‘１’に設定されたＳＬＰＩＤグループ＃ｎの個数(Ｎ＝０，…，１６)だけの個別的な３２ビットマップで構成される。したがって、最大１６個の３２ビットマップが存在し、１６個のＳＬＰＩＤグループ中のいずれのＳＬＰＩＤグループでもトラフィックが発生しない場合に、Ｎ＝０であるため、このフィールドが存在しないこともある。ここで、各３２ビットマップを構成する各ビットは、該当ＳＬＰＩＤグループを構成する各ＳＬＰＩＤに対応する。例えば、ＳＬＰＩＤグループ表示ビットマップ＝１１１１１  １１１１１  １１１１０  １(バイナリ)である場合に、ＳＬＰＩＤグループ＃１に該当するビット＃１＝０であるため、ＳＬＰＩＤグループ＃１に該当する３２ビットマップはＳＬＰＩＤ表示ビットマップから除外される。それによって、ＳＬＰＩＤグループ表示ビットマップの個数Ｎ＝１５となる。したがって、ＳＬＰＩＤグループ表示ビットマップ＝１１１１１  １１１１１  １１１１０  １であり、ＳＬＰＩＤ＝６５に該当するＭＳのトラフィックが発生した場合に、ＢＳは、ＳＬＰＩＤ表示ビットマップで２番目に該当する３２ビットマップを通じて該当ＭＳにトラフィックが発生したことを知らせなければならない。図４（ｂ）に、ＳＬＰＩＤ表示ビットマップフィールド６００が図示されている。
図４（ｂ）に示すように、ＳＬＰＩＤグループ＃ｎのｂｎが‘１’であると、該当ＳＬＰＩＤグループの各ＳＬＰＩＤに対応してトラフィックが発生したか否かを示すように、各ビットを有するＳＬＰＩＤ表示ビットマップ６１０，…，６３０が生成される。例えば、該当ＳＬＰＩＤグループが３２個で束ねられたＳＬＰＩＤで構成される場合に、３２ビットのＳＬＰＩＤ表示ビットマップが生成される。図４（ｂ）では、ＳＬＰＩＤグループ表示ビットマップで‘１’に設定されたＳＬＰＩＤグループ＃０ビット５０１に対するＳＬＰＩＤ表示ビットマップ６１０，…，ＳＬＰＩＤグループ＃１５ビット５１６に対するＳＬＰＩＤ表示ビットマップ６３０を示す。前述したように、ＳＬＰＩＤグループ＃１のビット５０２は‘０’であるため、これに対するＳＬＰＩＤグループ表示ビットマップが生成されない。なお、ＳＬＰＩＤ表示ビットマップの各ビット６１１，６１２，…，６１６は該当ＳＬＰＩＤに対してトラフィックが発生したか否かを示す。
【００１５】
第３に、トラフィックインジケータビットマップについて説明する。トラフィックインジケータビットマップは、ＳＬＰＩＤグループ表示ビットマップ及び/又はＳＬＰＩＤ表示ビットマップを通じてトラフィックが発生されることが通報されたＳＬＰＩＤのトラフィックインジケータ情報集合である。このトラフィックインジケータは、２ビットからなり、４個のトラフィック状態の表示を提供する。この４個の状態表示において、“００”は、周期的レンジング機会はなく、ダウンロードトラフィックのようなＰＤＵ(Ｐａｃｋｅｔ  Ｄａｔａ  Ｕｎｉｔ)もないことを示す。“０１”は、周期的レンジング機会はないが、ダウンロードトラフィックのようなＰＤＵがあることを示す。“１０”は、周期的レンジング機会はあるが、ダウンロードトラフィックのようなＰＤＵはないことを示す。“１１”は周期的レンジング機会もあり、ダウンロードトラフィックのようなＰＤＵもあることを示す。この場合に、トラフィックインジケータビットマップは、２ビットの倍数になり、可変長を有する。一方、トラフィックインジケータは、トラフィックが発生したＳＬＰＩＤグループ＃ｎのそれぞれのＳＬＰＩＤに対するトラフィック状態を示し、この場合、トラフィックインジケータは１ビットである。
【００１６】
本発明の第１の実施形態によると、ＳＬＰＩＤグループ表示ビットマップは、トラフィックの発生を表示するＳＬＰＩＤグループのすべてのＳＬＰＩＤに対するトラフィックインジケータを含む。図３（ｂ）は、本発明の第１の実施形態によるトラフィックインジケータビットマップフィールドを示す。図示のように、トラフィックインジケータビットマップフィールド４００は、それぞれのＳＬＰＩＤに対しては２ビットのトラフィックインジケータを含むことができる。一つのＳＬＰＩＤグループが３２個のＳＬＰＩＤを含むため、トラフィックインジケータビットマップフィールドは、３２個のＳＬＰＩＤに対する各２ビットのトラフィックインジケータを含み、それによって６４ビットの倍数長を有する。
また、トラフィックインジケータビットマップフィールド４００は、ＳＬＰＩＤグループ＃ｎのそれぞれのＳＬＰＩＤに対してトラフィックが発生したか否かを示す１ビットのトラフィックインジケータを含むことができる。この場合に、一つのＳＬＰＩＤグループは３２個のＳＬＰＩＤを含むため、トラフィックインジケータビットマップフィールドは、ＳＬＰＩＤグループ表示ビットが１であるすべてのＳＬＰＩＤグループに対して３２ビット長さのトラフィックインジケータユニットを含むため、３２ビットの倍数長を有する。すなわち、トラフィックインジケータは、ＳＬＰＩＤグループに属するスリープモードＩＤの個数の倍数長を有する。
ここで、トラフィックインジケータビットマップのトラフィックインジケータは、トラフィックが発生したＳＬＰＩＤグループのＳＬＰＩＤ値の昇順により割り当てられる。
また、本発明の第１の実施形態によれば、該当ＳＬＰＩＤは、ＳＬＰＩＤ表示ビットマップを含まない。上記のように、トラフィックが発生したＳＬＰＩＤグループのすべてのＳＬＰＩＤはトラフィックインジケータを含むため、各ＳＬＰＩＤのトラフィックインジケータが各ＳＬＰＩＤのトラフィック状態を示す。したがって、該当ＳＬＰＩＤグループ内の各ＳＬＰＩＤにトラフィックが発生したことを示すためのＳＬＰＩＤ表示ビットマップが不要となる。
【００１７】
本発明の第２の実施形態で、実際にトラフィックが発生しないＳＬＰＩＤのための２ビットのトラフィックインジケータは、このトラフィックインジケータビットマップ内に存在しない。図４（ｃ）は、本発明の第２の実施形態によるトラフィックインジケータビットマップフィールドを示す。図示のように、トラフィックインジケータビットマップフィールド７００は、トラフィックが発生したＳＬＰＩＤ６１１，６１４，６１５，６１６に対しては２ビットのトラフィックインジケータを含むが、ＳＬＰＩＤ６１２，６１３に対しては２ビットのトラフィックインジケータを含まない。このとき、望ましくはトラフィックインジケータビットマップフィールドを構成するそれぞれのトラフィックインジケータは、最も小さいＳＬＰＩＤ６１１に該当するＬＳＢ７０１から始め、ＳＬＰＩＤ値が増加する順にＭＳＢに向かって配列される。このフィールドは、最大５１２個のＭＳを制御するために５１２個のトラフィックインジケータ、すなわち１０２４ビットが使用可能である。
【００１８】
第４に、ハーフトラフィックマスクフィールドを説明する。このフィールドは、第１の実施形態と第２の実施形態を結合して適用する場合に有用に使用されうる。上述したように、ＳＬＰＩＤグループ表示ビットマップの各ビットｂｎは特定ＳＬＰＩＤグループを示す。ＳＬＰＩＤグループ表示ビットマップで、ｎ＝１に設定される場合に、ＳＬＰＩＤグループ＃ｎに含まれる任意のＳＬＰＩＤにトラフィックが発生したことを示す。ハーフトラフィックマスクをなす各ビットは、ＳＬＰＩＤグループ表示ビットマップの各ビットに対応する。このフィールドは、各ビットがＳＬＰＩＤグループ表示ビットマップの該当ビット＃ｎ＝１である場合のみに意味があり、該当ビット＃ｎ=０である場合にハーフトラフィックマスクの該当ビット＃ｎは無視する。このフィールドの各ビットが示す意味は、次のようである。
【００１９】
＜ハーフトラフィックマスク(Ｈａｌｆ−ｔｒａｆｆｉｃ  Ｍａｓｋ)ビット＃ｎ＝０＞：トラフィックは、該当ＳＬＰＩＤグループ＃ｎに１７個未満のＳＬＰＩＤで発生する。ＢＳは、本発明の第２の実施形態によりＳＬＰＩＤグループ＃ｎに属するフィールドを形成し、該当ＳＬＰＩＤグループ＃ｎに属するＭＳは第２の実施形態によりトラフィックインジケータをデコーディングする。
＜ハーフトラフィックマスクビット＃ｎ＝１＞：トラフィックは、該当ＳＬＰＩＤグループ＃ｎに１７個以上のＳＬＰＩＤにトラフィックが発生する。ＢＳは、本発明の第１の実施形態によりＳＬＰＩＤグループ＃ｎに従属するフィールドを形成し、該当ＳＬＰＩＤグループ＃ｎに属するＭＳは、第１の実施形態によりトラフィックインジケータをデコーディングする。このとき、Ｒ(ｒ１５，ｒ１４，…，ｒ０)＝ＳＬＰＩＤグループ表示ビットマップ及びハーフトラフィックマスクであるとき、ｒｎ＝１である場合に、ｒｎに対応するＳＬＰＩＤを有するＭＳは本発明の第１の実施形態により該当するトラフィックインジケータを探す。
【００２０】
図５は、本発明の一実施形態により、ＢＳで複数のＭＳに対してトラフィックが存在するか否かを示すトラフィック表示メッセージを送信するための制御手順１００を示すフローチャートである。図５は、本発明の第１の実施形態と第２の実施形態を結合して適用する場合の制御フローチャートである。また、第１の実施形態と第２の実施形態はそれぞれ独立的に遂行できることはもちろんである。
上記のように、ＢＳによって管理されるＭＳからのＳＬＰ-ＲＥＱメッセージが受信されると、ＢＳは、ＳＬＰ-ＲＳＰメッセージを通じて該当ＭＳが要求したスリープモードに対する許可/拒否を知らせる。もし、要求されたスリープモードが許可された場合に、ＢＳは、ＳＬＰ-ＲＳＰメッセージ内にＳＬＰＩＤを割り当てて該当ＭＳに伝送する。
【００２１】
以後、ＢＳは、ステップＳ１０２で、入力(ｉｎｃｏｍｉｎｇ)トラフィックが発生したか否かを判定する。ＢＳは、スリープモードの要求を許可したＳＬＰＩＤに対してＤＬ(Ｄｏｗｎｌｏａｄ)トラフィック及び周期的レンジング機会(Ｐｅｒｉｏｄｉｃ  ｒａｎｇｉｎｇ  ｏｐｐｏｒｔｕｎｉｔｙ)が発生するか否かを監視する。
ＢＳが管理するＳＬＰＩＤにトラフィックが存在する場合に、ＢＳは、ステップＳ１０４で、該当ＳＬＰＩＤが属するＳＬＰＩＤグループ＃ｎにトラフィックが存在することを知らせるために、ＳＬＰＩＤグループ表示ビットマップでＳＬＰＩＤグループ＃ｎに対応するビット＃ｎを‘１’に設定する。すると、ＢＳは、ステップＳ１０６で、該当ＳＬＰＩＤグループのためのＳＬＰＩＤ表示ビットマップを設定する。したがって、ＳＬＰＩＤ表示ビットマップで該当ＳＬＰＩＤに対応するビットはトラフィックが存在することを示すように設定される。
【００２２】
ＢＳは、ステップＳ１０８に進行して、該当ＳＬＰＩＤのトラフィックインジケータを設定する。上述したように、トラフィックインジケータは２ビットからなり、４個のトラフィック状態の表示を提供することができる。この場合、“００”は、周期的レンジング機会はなく、ダウンロードトラフィックのようなＰＤＵ(Ｐａｃｋｅｔ  Ｄａｔａ  Ｕｎｉｔ)もないことを示す。“０１”は、周期的レンジング機会はないが、ダウンロードトラフィックのようなＰＤＵがあることを示す。“１０”は、周期的レンジング機会はあるが、ダウンロードトラフィックのようなＰＤＵはないことを示す。“１１”は周期的レンジング機会もあり、ダウンロードトラフィックのようなＰＤＵもあることを示す。該当ＳＬＰＩＤのトラフィックインジケータは、上記の値の中で一つの値を有する。
一方、トラフィックインジケータは１ビットからなり、トラフィック状態の表示を提供することができる。例えば、“０”はトラフィックが発生せず、すなわち負(ｎｅｇａｔｉｖｅ)の表示を示し、“１”はトラフィックが発生する、すなわち、正(ｐｏｓｉｔｉｖｅ)の表示を示す。
そして、トラフィックインジケータビットマップのトラフィックインジケータは、トラフィックが発生したＳＬＰＩＤグループのＳＬＰＩＤ値の昇順(ａｓｃｅｎｄｉｎｇ  ｏｒｄｅｒ)に配列される。
【００２３】
ＢＳは、ステップＳ１１０に進行して、該当ＳＬＰＩＤが属するＳＬＰＩＤグループのための一時的なトラフィックインジケータセットを設定する。すなわち、ＢＳは、該当ＳＬＰＩＤに対するトラフィックインジケータビットマップを設定する。そして、ＢＳは、ステップＳ１１２に進行し、該当ＳＬＰＩＤの聴取期間が到来するか否かを判定する。該当ＳＬＰＩＤの聴取期間が到来した場合に、ＢＳは、ステップＳ１１４に進行して、該当ＳＬＰＩＤグループでトラフィックが発生したＳＬＰＩＤの個数が１６以下であるかを判定する。その結果、ＳＬＰＩＤグループでトラフィックが発生したＳＬＰＩＤの個数が１６以下である場合に、ＢＳは、ステップＳ１２０で、ハーフトラフィックマスクフィールドの該当ＳＬＰＩＤグループに対するビットを“０”に設定し、ステップＳ１２２に進行する。
一方、ＳＬＰＩＤグループでトラフィックが発生したＳＬＰＩＤの個数が１６より大きい場合に、ＢＳは、ステップＳ１３０に進行して、ハーフトラフィックマスクフィールドの該当ＳＬＰＩＤグループに対するビットを“１”に設定し、ステップＳ１３２に進行する。
上記のように、ＢＳは、ＳＬＰＩＤグループ表示ビットマップに含まれたビット＃ｎを“１”に設定するとき、ハーフトラフィックマスクフィールドに属するＳＬＰＩＤの中でトラフィックが発生したＳＬＰＩＤの個数が１６以下である場合に、ＳＬＰＩＤグループ＃ｎに対応するビットを“０”に設定し、該当ＳＬＰＩＤグループ＃ｎに対するトラフィックインジケータ情報が本発明の第２の実施形態によるＳＬＰＩＤグループに属するフィールドを通じて伝送されることを示す。一方、該当ＳＬＰＩＤグループ＃ｎで１７個以上のＳＬＰＩＤにトラフィックが発生する場合に、ＢＳは、ハーフトラフィックマスクフィールドでＳＬＰＩＤグループ＃ｎに対応するビットを“１”に設定し、該当ＳＬＰＩＤグループ＃ｎに対するトラフィックインジケータ情報が本発明の第１の実施形態によるＳＬＰＩＤグループに属するフィールドを通じて伝送されることを示す。
【００２４】
一方、ＢＳは、ステップＳ１３２に進行して、上記のステップで設定したＳＬＰＩＤグループ表示ビットマップフィールド、トラフィックインジケータビットマップフィールド、及びハーフトラフィックマスクフィールドを含んだＭＯＢ-ＴＲＦ-ＩＮＤメッセージを伝送する。
そして、ＢＳは、ステップＳ１２２で、一時的なトラフィックインジケータセットを再割り当てる。前述したように、本発明の第２の実施形態によると、実際にトラフィックが発生しないＳＬＰＩＤのための２ビットのトラフィックインジケータは、このトラフィックインジケータビットマップフィールド内に存在しない。したがって、ＢＳは、実際にトラフィックが発生したＳＬＰＩＤに対するトラフィックインジケータのみで再びトラフィックインジケータビットマップを再整列する。そして、ＢＳは、ステップＳ１２４で、上記のステップで設定したＳＬＰＩＤグループ表示ビットマップフィールド、トラフィックインジケータビットマップフィールド、及びハーフトラフィックマスクフィールドを含んだＭＯＢ-ＴＲＦ-ＩＮＤメッセージを伝送する。
言い換えれば、特定のＳＬＰＩＤグループ＃ｎに対するトラフィックインジケータシグナリング方法が本発明の第１の実施形態に従う場合に、ＢＳは、ＳＬＰＩＤ表示ビットマップである、該当ＳＬＰＩＤグループ＃ｎのための３２ビットのビットマップを省略する。本発明の一実施形態で、ＢＳは、該当ＳＬＰＩＤグループ＃ｎのトラフィックインジケータシグナリングのためにＭ(＝３２)×２ビットを割り当てて図３（ｂ）に示すようなトラフィックインジケータビットマップに含める。この場合、該当ＳＬＰＩＤグループ＃ｎに属したトラフィック表示のために、ＢＳは、１６(ＳＬＰＩＤグループ表示ビットマップ)＋２＊３２(トラフィックインジケータビットマップ)ビットのサイズを有するＭＯＢ-ＴＲＦ-ＩＮＤメッセージを伝送する。
【００２５】
本発明の他の実施形態により、ＢＳは、特定のＳＬＰＩＤグループ＃ｎのトラフィックインジケータシグナリングのために、Ｍ(＝３２)×１ビットを割り当ててトラフィックインジケータビットマップに含める。この場合、該当ＳＬＰＩＤグループ＃ｎに属したトラフィック表示のために、ＢＳは、１６(ＳＬＰＩＤグループ表示ビットマップ)＋１＊３２(トラフィックインジケータビットマップ)ビットのサイズを有するＭＯＢ-ＴＲＦ-ＩＮＤメッセージを伝送する。
また、特定のＳＬＰＩＤグループ＃ｎに対するトラフィックインジケータシグナリング方法が本発明の第２の実施形態に従う場合に、ＢＳは、図４（ｂ）に示すＳＬＰＩＤ表示ビットマップ６００に該当ＳＬＰＩＤグループ＃ｎのための３２ビットのビットマップを含める。このような３２ビットのビットマップを通じて、ＢＳは、ＳＬＰＩＤグループ＃ｎに属するＳＬＰＩＤのうち、トラフィックが発生したＳＬＰＩＤを判定する。すると、ＢＳは、選択された３２ビットのビットマップでその値が“１”に設定されたビットの個数Ｍを決定する。
ＢＳは、このように決定されたＭの値によりＭ×２ビットを割り当てて図４（ｃ）に示すように、トラフィックインジケータビットマップに含める。この場合、ＢＳは、該当ＳＬＰＩＤグループ＃ｎに属するトラフィック表示のために１６(ＳＬＰＩＤグループ表示ビットマップ)＋３２(ＳＬＰＩＤ表示ビットマップ)＋Ｍ＊２(トラフィックインジケータビットマップ)ビットのサイズを有するＭＯＢ-ＴＲＦ-ＩＮＤメッセージを伝送する。このとき、トラフィックインジケータ＝００に該当する２ビットの値は、ＳＬＰＩＤ表示ビットマップに含まれた１ビット情報に代替可能である。
【００２６】
次に、ＭＳが上述したようなＭＯＢ-ＴＲＦ-ＩＮＤメッセージを受信する場合について説明する。
図６は、本発明の一実施形態により、複数のＭＳに対してトラフィックが存在するか否かを示すトラフィック表示メッセージをＭＳが受信した場合の制御手順２００を示すフローチャートである。図６は、図５と類似に、本発明の第１の実施形態と第２の実施形態を結合して適用する場合を説明するもので、第１の実施形態と第２の実施形態はそれぞれ独立的に遂行することができる。
ＢＳからＳＬＰ-ＲＳＰメッセージを通じてＳＬＰＩＤ＝ｋの値が割り当てられたＭＳは、ＳＬＰＩＤ＝ｋに該当するスリープモード動作を遂行する。このとき、ＭＳは、割り当てられたＳＬＰＩＤ＝ｋが属するＳＬＰＩＤグループ＃ｎ(ここで、ｎ＝ｋ/３２）を計算する。
【００２７】
図６を参照すると、ＭＳは、ステップＳ２０４で、該当スリープモードパターンで聴取期間に至ったか否かを判定する。聴取期間になると、ＭＳは、ステップＳ２０６で、受信可能状態に遷移してＭＯＢ-ＴＲＦ-ＩＮＤメッセージを受信する。次に、ＭＳは、ステップＳ２０８に進行して、ＭＯＢ-ＴＲＦ-ＩＮＤメッセージからＳＬＰＩＤグループ表示ビットマップフィールドを検索してＭＳが属したＳＬＰＩＤグループ＃ｎに対応するビット＃ｎの値を検索する。また、ＭＳは、ステップＳ２１０で、自分が属するＳＬＰＩＤグループにトラフィックが存在するか否かを判定する。特に、ＳＬＰＩＤグループ表示ビットマップフィールドの該当ビット＃ｎ値が０である場合に、ＭＳは、割り当てられたＳＬＰＩＤ＝ｋが属したＳＬＰＩＤグループ＃ｎ(ｎ＝ｋ/３２)にトラフィックが発生しないと判断し、現在の聴取期間が終了すると、スリープ期間(すなわち、ステップＳ２０４)に復帰する。
【００２８】
ビット＃ｎ値が１である場合に、ＭＳは、ステップＳ２１２に進行して、ハーフトラフィックマスクフィールドとＳＬＰＩＤグループ表示ビットマップフィールドのＡＮＤ演算を遂行する。そして、ＭＳは、ステップＳ２１４で発生した１６ビットから上記のビット＃ｎに対応するビットの結果値を探す。すなわち、該当ビット＃ｎが１である場合に、ＭＳは、該当ＳＬＰＩＤグループでトラフィックが存在するＳＬＰＩＤの個数が１６より大きい場合であると判断し、ステップＳ２３０に進行する。
【００２９】
すなわち、該当ビット＃ｎが０である場合に、ＭＳは、該当ＳＬＰＩＤグループでトラフィックが存在するＳＬＰＩＤの個数が１６以下であると判断し、ステップＳ２２０に進行する。ＭＳは、ステップＳ２２０で、ＢＳがＳＬＰＩＤグループ＃ｎに対しては第２の実施形態によりトラフィックインジケータシグナリングを遂行すると判断し、ＳＬＰＩＤ表示ビットマップから自分のＳＬＰＩＤが属するＳＬＰＩＤグループ＃ｎに対応する３２ビットのビットマップを確認する。
すると、ＭＳは、ステップＳ２２２で、自分のＳＬＰＩＤが属するＳＬＰＩＤグループ＃ｎに対応する３２ビットのビットマップで実際にＳＬＰＩＤのためのトラフィックが存在するか否かを判定する。このとき、ＭＳのＳＬＰＩＤ値がｋである場合に、ＭＳは先に言及した３２ビットのビットマップの中でｍ＝ｋ/３２を満たすビット＃ｍが自分のＳＬＰＩＤに対応するビットであると認知する。このようなビット＃ｎ値が“０”である場合に、ＭＳは、自分にトラフィックがないことを認知し、以後のパラメータを無視し、聴取期間が終了するとスリープ期間に進入するための準備をする。
すなわち、ＳＬＰＩＤグループ表示ビットマップ及び(＝ビット単位の(ｂｉｔｗｉｓｅ)ＡＮＤ)ハーフトラフィックマスクの結果として、任意のＳＬＰＩＤグループ＃ｎに対応するビット＃ｎの演算結果値が“０”である場合に、該当ＳＬＰＩＤグループに対する３２ビット情報はＳＬＰＩＤ表示ビットマップに含まれる。このようなＭＯＢ-ＴＲＦ-ＩＮＤメッセージを受信したＭＳは、ＳＬＰＩＤグループ表示ビットマップ、ＳＬＰＩＤ表示ビットマップに含まれたグループに対応する３２ビット情報を通じてトラフィックが存在するか否かを判定した後に、トラフィックが存在すると判定された場合に、トラフィックインジケータビットマップでＭＳに該当する２ビットトラフィックインジケータを読み出して処理する。本発明の第２の実施形態は、該当ＳＬＰＩＤグループに含まれた３２個のＳＬＰＩＤの中で１６以下のＳＬＰＩＤにトラフィックインジケータが発生された場合に適用可能であり、これは、ＭＯＢ-ＴＲＦ-ＩＮＤを通じて伝送される情報のビット数を減少させるためである。
【００３０】
そして、ＭＳは、ビット＃ｎ値が１である場合はトラフィックが発生した場合であるため、ステップＳ２２４に進行し、トラフィックインジケータビットマップから自分のＳＬＰＩＤに該当するトラフィックインジケータの位置値を獲得する。すなわち、トラフィックインジケータビットマップには自分が属するＳＬＰＩＤグループ＃ｎグループで実際のトラフィックが発生したＳＬＰＩＤ(Ｐ個)に関する情報だけが含まれている。したがって、トラフィックインジケータビットマップでＳＬＰＩＤが属するＳＬＰＩＤグループ＃ｎの以前グループＳＬＰＩＤグループ＃(ｎ−１)と関連した情報が終わるビット以後の２＊ＰビットがＭＳのＳＬＰＩＤグループ＃ｎのためのトラフィックインジケータ情報である。この範囲[ｓｔａｒｔ，ｓｔａｒｔ＋２＊Ｐ-１]で、ＭＳは、上記のＳＬＰＩＤの個数Ｐの中で自分のＳＬＰＩＤ＝ｋより小さいＳＬＰＩＤに該当する個数(＝Ｌ)を求めると、範囲[ｓｔａｒｔ＋２＊Ｌ，ｓｔａｒｔ＋２＊Ｌ＋１]がＭＳに割り当てられた２ビットのトラフィックインジケータ情報となる。すると、ＭＳは、ステップＳ２２６で検索した２ビットの情報により現在の規格によって定められた動作を遂行する。
【００３１】
一方、ステップＳ２１４で該当ビット＃ｎが“１”であると判断された場合に、ＭＳは、該当ＳＬＰＩＤグループでトラフィックが発生するＳＬＰＩＤの個数が１６より大きい場合であると判断し、ステップＳ２３０に進行する。ＭＳは、ステップＳ２３０で、ＢＳがＳＬＰＩＤグループ＃ｎに対して本発明の第１の実施形態によりトラフィックインジケータシグナリングを遂行すると判断し、ＳＬＰＩＤ表示ビットマップの検索を省略し、すぐにトラフィックインジケータビットマップフィールドを検索する。
トラフィックインジケータビットマップフィールドでＭＳが属するＳＬＰＩＤグループ＃ｎの前のグループであるＳＬＰＩＤグループ＃(ｎ-１)に該当する情報が終わるビット以後の２＊３２ビットがそのＳＬＰＩＤグループ＃ｎのためのトラフィックインジケータ情報である。この範囲[ｓｔａｒｔ，ｓｔａｒｔ＋６４-１]で、ＭＳは自分のＳＬＰＩＤ＝ｋからｔ＝ｋ/３２を満足するｔを獲得する場合に、この範囲[ｓｔａｒｔ＋２ｔ，ｓｔａｒｔ＋(２ｔ＋１)]がＭＳに割り当てられた２ビットトラフィックインジケータ情報となる。すると、ＭＳは、ステップＳ２３２で検索した２ビット情報により現在の規格によって定められた動作を遂行する。
言い換えれば、ＳＬＰＩＤグループ表示ビットマップ及び(＝ビット単位のＡＮＤ)ハーフトラフィックマスクの結果として、任意のＳＬＰＩＤグループ＃ｎに対応するビット＃ｎの演算結果値が“１”である場合、該当ＳＬＰＩＤグループに対する３２ビット情報をＳＬＰＩＤ表示ビットマップに含めない。また、ＢＳは、トラフィックインジケータビットマップフィールド内に該当ＳＬＰＩＤグループに属する全体３２個のＳＬＰＩＤの６４ビットの情報を含める。
【００３２】
このようなＭＯＢ-ＴＲＦ-ＩＮＤメッセージを受信したＭＳは、ＳＬＰＩＤグループ表示ビットマップのデコーディングを通じて自分が属するＳＬＰＩＤグループにトラフィックが発生したか否かを判断し、トラフィックが発生すると判定された場合に、ＭＳは、トラフィックインジケータビットマップでＭＳが属するＳＬＰＩＤグループに該当する６４ビット情報の位置を探し、この６４ビット情報から自分のＳＬＰＩＤに該当する２ビットトラフィックインジケータを読み出して処理する。本発明の第１の実施形態は、該当ＳＬＰＩＤグループ内に含まれた３２個のＳＬＰＩＤの中で１７個以上のＳＬＰＩＤにトラフィックインジケータが発生された場合に適用可能であり、これは、ＭＯＢ-ＴＲＦ-ＩＮＤを通じて伝送される情報のビット数を減少するためである。
【００３３】
以上、本発明の詳細な説明においては具体的な実施形態に関して説明したが、特許請求の範囲を外れない限り、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００３４】
【図１】一般的な広帯域無線通信システムの構成を示す図である。
【図２】ＭＳがスリープモードを遂行する手順を示す流れ図である。
【図３】本発明の第１の実施形態によりトラフィックインジケータシグナリングを説明するための図である。
【図４】本発明の第２の実施形態によりトラフィックインジケータシグナリングを説明するための図である。
【図５】本発明の一実施形態により、ＢＳで複数のＭＳに対してトラフィックが存在するか否かを示すトラフィック表示メッセージを送信するための制御フローチャートである。
【図６】本発明の一実施形態により、ＭＳで複数のＭＳに対してトラフィックが存在するか否かを示すトラフィック表示メッセージを受信するための制御フローチャートである。
【符号の説明】
【００３５】
１００、２００  制御手順
３００、５００  ＳＬＰＩＤグループ表示ビットマップフィールド
４００、７００  トラフィックインジケータビットマップフィールド
６００  ＳＬＰＩＤ表示ビットマップフィールド
【図１】
2008502275.tif 000003
【図２】
2008502275.tif 000004
【図３】
2008502275.tif 000005
【図４】
2008502275.tif 000006
【図５】
2008502275.tif 000007
【図６】
2008502275.tif 000008
【国際調査報告】
2008502275.tif 000009
2008502275.tif 000010